(57)【要約】【課題】単一のパッケージ内への、異なる形状因子を持つ大容量メモリーユニットの混合された空間効率のよい使用を得るためのコネクタプレーンモジュールを提供する。【解決手段】コネクタプレーンモジュールは、新規な形態で配置された３個の独立な整列したコネクタプレーンコネクタを備える。２個の離間されたコネクタプレーンコネクタが互いに同一の向きで配置され、第３のコネクタプレーンコネクタが第２のコネクタプレーンコネクタに対して離間し且つ１８０度反転した向きで配置される。第１の形状因子を持つ２個の大容量メモリー記憶装置ユニット又は第２の小さな形状因子を持つ３個の大容量メモリー記憶装置ユニットは、１個の大容量メモリーユニットをそれぞれ他の１個又は２個の大容量メモリーユニットに対して１８０度反転した向きにすることにより、略同一スペースを占有して、コネクタプレーンに接続される。【選択図】図１１
2004503890.tif 000002
【特許請求の範囲】
【請求項１】
Ａ）１）同じ向きで、互いに整列して配置された第１及び第２の離間配置のコネクタプレーンコネクタと、
２）前記第２のコネクタプレーンコネクタに対して間隔をあけて、１８０度反転した向きで、整列して配置された第３のコネクタプレーンコネクタと、
からなる３個の独立したコネクタプレーンコネクタを備えたコネクタプレーンモジュールと、
Ｂ）前記コネクタプレーンモジュールと電気的に結合するために前記コネクタプレーンコネクタの一つに対して機械的に接続する相補的な形状を有するユニットコネクタを、各々が備えた複数の大容量記憶装置ユニットと
を備えた大容量メモリ。
【請求項２】
前記複数の大容量記憶装置ユニットのうち第１のものの前記ユニットコネクタは、前記第１のコネクタプレーンコネクタと機械的に接続され、前記大容量記憶装置ユニットのうち第３のものの前記ユニットコネクタは、前記第３のコネクタプレーンコネクタと接続され、前記第１と第３の大容量記憶装置ユニットは、互いに１８０度反転した向きに向けられた請求項１に記載の大容量メモリ。
【請求項３】
前記複数の大容量記憶装置ユニットの第１のものの前記ユニットコネクタは、前記第１のコネクタプレーンコネクタと機械的に接続され、前記複数の大容量記憶装置ユニットの第２のものの前記ユニットコネクタは、前記第２のコネクタプレーンコネクタと機械的に接続され、前記複数の大容量記憶装置ユニットの第３のものの前記ユニットコネクタは、前記第３のコネクタプレーンコネクタと接続され、前記第１及び第２の大容量記憶装置ユニットは同じ向きに向けられ、前記第１と第３の大容量記憶装置ユニットは互いに１８０度反転した向きに向けられた請求項１に記載の大容量メモリ。
【請求項４】
整列された複数の前記コネクタプレーンモジュールを備えたことを特徴とする請求項１に記載の大容量メモリ。
【請求項５】
前記複数のコネクタプレーンモジュールの各々において、前記複数の大容量記憶装置ユニットの第１のものの前記ユニットコネクタは、前記第１のコネクタプレーンコネクタと機械的に接続され、前記複数の大容量記憶装置ユニットの第３のものは、前記第３のコネクタプレーンコネクタに接続され、前記第１及び第３の大容量記憶装置ユニットは、互いに１８０度反転した向きに向けられた請求項４に記載の大容量メモリー。
【請求項６】
前記複数のコネクタプレーンモジュールの各々において、前記複数の大容量記憶装置ユニットの第１のものの前記ユニットコネクタは、前記第１のコネクタプレーンコネクタに機械的に接続され、前記複数の大容量記憶装置ユニットの第２のものの前記ユニットコネクタは、前記第２のコネクタプレーンコネクタに機械的に接続され、前記複数の大容量記憶装置ユニットの第３のものの前記ユニットコネクタは、前記第３のコネクタプレーンコネクタに接続され、前記第１と第２の大容量記憶装置ユニットは、同じ向きに向けられ、前記第１と第３の大容量記憶装置ユニットは、互いに１８０度反転した向きに向けられた請求項４に記載の大容量メモリー。
【請求項７】
Ａ）前記複数のコネクタプレーンモジュールの少なくとも第１のものにおいて、前記複数の大容量記憶装置ユニットの第１のものの前記ユニットコネクタは、前記第１のコネクタプレーンコネクタと機械的に接続され、前記複数の大容量記憶装置の第３もののは、前記第３のコネクタプレーンコネクタと接続され、前記第１と第３の大容量記憶装置ユニットは互いに１８０度反転した向きに向けられ、
Ｂ）前記複数のコネクタプレーンモジュールの少なくとも第２のものにおいて、前記複数の大容量記憶装置ユニットの第１のものの前記ユニットコネクタは、前記第１のコネクタプレーンコネクタに機械的に接続され、前記複数のコネクタプレーンコネクタの第２のものの前記ユニットコネクタは、前記第２のコネクタプレーンコネクタに機械的に接続され、前記複数の大容量記憶装置ユニットの第３のものの前記ユニットコネクタは、前記第３のコネクタプレーンコネクタに接続され、前記第１と第２の大容量記憶装置ユニットは同一の向きで配置され、前記第１と第３の大容量記憶装置ユニットは互いに１８０度反転した向きを向けられる請求項４に記載の大容量メモリー。
【請求項８】
前記複数のコネクタプレーンモジュールを一体化した請求項４に記載の大容量メモリー。
【請求項９】
前記複数のコネクタプレーンモジュールを一体化した請求項５に記載の大容量メモリー。
【請求項１０】
前記複数のコネクタプレーンモジュールを一体化した請求項６に記載の大容量メモリー。
【請求項１１】
前記複数のコネクタプレーンモジュールを一体化した請求項７に記載の大容量メモリー。
【請求項１２】
Ａ）ａ）互いに同じ向きで整列して配置された第１と第２の離間されたコネクタプレーンコネクタと、
ｂ）前記第２のコネクタプレーンコネクタに対して離間され且つ１８０度反転した向きで配置された第３のコネクタプレーンコネクタと、
からなる３個の独立したコネクタプレーンコネクタを備えたコネクタプレーンモジュールを含み、
Ｂ）前記コネクタプレーンモジュールとの電気的な接続をもたらすように前記コネクタプレーンコネクタと機械的に接続するために相補的な形態とされたユニットコネクタを、各々が備えた複数の大容量記憶装置ユニットを含み、
前記第１と第２のコネクタプレーンコネクタ間と前記第２と第３のコネクタプレーンコネクタ間の間隔は、それぞれ、第１の形状因子を有する第１と第２の大容量記憶装置ユニットと、前記第１の形状因子よりも小さな第２の形状因子を有する第３と第４と第５の大容量記憶装置ユニットが、第１の形状因子を有する第１と第２の大容量記憶装置ユニットが前記コネクタプレーンモジュールに接続されたときと、第３と第４と第５の大容量記憶装置ユニットが前記コネクタプレーンモジュールに接続されたときの各々において、略同一のスペースを占有するように選択される大容量メモリー。
【発明の詳細な説明】
【０００１】
【発明の属する技術分野】
本発明は、単一又は種々の形状因子を持つ複数の大容量記憶装置ユニット（例えば、ハードディスクドライブの配列）の効率的なパッケージングに関する。
【０００２】
【従来技術】
大規模コンピュータシステムは、例えばハードディスクドライブの配列のような大容量記憶装置ユニットを備えている。本願のために現在利用可能なハードディスクドライブユニットは、典型的には、二つの「高さ」形状因子（１インチと１．６インチ）の一方の形態を有する３．５インチドライブを用いたものである。各ディスクドライブは、約１０．１６ｃｍ（４インチ）の「幅」を持つ。ここでの高さ及び幅寸法は、業界での分類の目的のためにのみ述べられたものある。なぜならば、ディスクドライブは、どのような向きに向けられても動作するもので、しばしば、「高さ」寸法は、例えば公知の１９インチラックマウント内で、水平に配置されるからである。
【０００３】
この技術分野の現状において、１．０インチ及び１．６インチ形状因子ディスクドライブの動作特性は、以下の通りである。
１．６インチディスクドライブは、一般に、大きな容量を持ち、規定された記憶装置の単位毎のコスト（すなわちメガバイト毎のコスト）は少ない。
【０００４】
これに対して、１インチディスクドライブは、一般に、ディスクドライブ毎のコストはより少なく、且つ高い性能を提供する。
サーバー又はディスクサブシステム内のディスクドライブは、通常、ホットプラグ／アンプラグ機能を含むディスクドライブの操作を許容するキャニスター内にパッケージ化されている。各キャニスターは、バックプレーン上の相補的形状のコネクタと接続するように作られたコネクタを備えている。バックプレーンは、システム側の回路と一般的な方法で接続される。キャニスターコネクタの位置及び向きは、典型的には、採用される大規模記憶装置ユニットのタイプの業界基準により決められる。このように、ディスクドライブキャニスターの機械的寸法と、電気的及び機械的インターフェースは、広く認められた基準で規定されているので、キャニスターの簡単な交換を実行しうる。
【０００５】
１インチ及び１．６インチ形状因子のディスクドライブキャニスターを、その用途のための最適な性能及び記憶容量が得られるように、所与のシステム内に含めることは、一般的に実施されている。従来技術においては、これは、１．６インチディスクドライブキャニスターはそのまま支持するとともに１インチディスクドライブもこれと同じキャニスター内に収容する電気的及び機械的設計を採用することにより達成される。しかしながら、このような方法では、１インチディスクドライブキャニスターは、１．６インチディスクドライブキャニスターと同じ「高さ」寸法を占有してしまう。この方法は、実施化が非常に容易であるが、最適な空間利用を達成することは全くできず、これは重大な欠点である。
【０００６】
もちろん、（例えば、標準的な１９インチラック台内の）１インチキャニスターの並びと１．６インチキャニスターの並びをそれぞれ収容する２個の異なる設計は提供されうるが、この方法では、与えられた並びの１インチ及び１．６インチキャニスターを最適に混合することはできず、単一のバックプレーン及び機械的設計を用いる利点は失われる。
【０００７】
【発明が解決しようとする課題】
したがって、本発明の主要な目的は、第１と第２の形状因子を有する大容量記憶装置ユニット（例えばディスクドライブ）をコンパクトな組立品の中に混合しうる大容量記憶装置のパッケージングシステムを提供することである。
【０００８】
本発明のさらに詳しい目的は、大容量記憶装置ユニットを収納したキャニスターが、互いに１８０度反転した向きの２つの外側コネクタを含む３個のバックプレーンコネクタをそれぞれが有するようにモジュール上にバックプレーンコネクタが配置されたバックプレーン内に接続される大容量記憶装置パッケージングシステムを提供することである。
【０００９】
他の特徴において、本発明の目的は、二つの異なった形状因子を持つ大容量記憶装置ユニットに適応するために、単一のバックプレーンモジュール形態のみを必要とし、これにより、このようなパッケージングシステム以上の設計の必要性を排除する大容量記憶装置パッケージングシステムを提供することにある。
【００１０】
【課題を解決するための手段】
簡潔に述べると、本発明のこれら及び他の目的は、新規な形態で配列された３個の独立の整列したバックプレーンコネクタを持つバックプレーン（又は他のコネクタプレーン）モジュールを含む大容量記憶装置により達成される。２個の離間したバックプレーンコネクタが、互いに同一の向きで配置され、第３のバックプレーンコネクタが、第２のコネクタに対して離間され且つ１８０度反転した向きで配置される。この形態により、第１の形状因子を持つ２個の大容量メモリー記憶装置ユニット、又は第２の小さな形状因子を持つ３個の大容量メモリー記憶装置ユニットが、略同じスペースを占有するように、バックプレーンに接続され得る。各場合において、１個の大容量メモリーユニットは、他の１個又は２個の大容量メモリーユニットに対して１８０度反転した向きに向けられる。
【００１１】
本発明の主題は、詳しくは、明細書の特許請求の範囲に、明瞭に示される。しかしながら、本発明は、構成及び動作方法のいずれに関しても、以下の実施形態及び添付された図面を参照することによって、最もよく理解されうる。
【００１２】
【発明の実施の形態】
図１及び図３には、それぞれ、典型的な１．６インチ形状因子ディスクドライブキャニスター１（簡略化して示されている）の底面図と側面図を示す。インテグラルコネクタ２は、ディスクドライブキャニスターを、サーバー、ディスクドライブサブシステム又はその他の大容量記憶装置サブシステムに、公知の方法で電気的に接続するために、バックプレーン上の相補的形態のコネクタと接続するようになっている（これについては後述する）。
【００１３】
同様に、図２及び図３は、それぞれ、バックプレーン上の相補的形状のコネクタと接続するインテグラルコネクタ４を備えた典型的な１インチ形状因子ディスクドライブキャニスター３の底面図と側面図を示す。
【００１４】
図示されるように、キャニスター１、３それぞれの底部に対するコネクタ２、４の位置は、略同様である。すなわち、例えば、各コネクタは幅寸法の中央に配置され、それぞれキャニスターの底部５、６から上方へ同じ距離だけ離れて配置されている。大容量メモリーユニットの様々なタイプ及びサブタイプに用いられる厳密な位置及び形状は、典型的には、認定された業界基準となっている。この特徴は、以下に述べるように、本発明において効果的に利用される。本発明が効果的に用いられ得る大容量メモリーユニットのインターフェース規格として現在考えられるものは、ＦＣ−ＡＬ（Ｆｉｂｅｒ Ｃｈａｎｎｅｌ Ａｒｂｔｒａｔｅｄ Ｌｏｏｐ）、ＳＣＳＩ、ＳＳＡ、ＡＴＡ等がある。もちろん、将来の新たなインターフェース規格を有する大容量メモリーユニットもまた、本発明に、効果的に利用される余地がある。
【００１５】
このように、図１から図４に示されるコネクタ２、４の位置は、単なる例示である。しかしながら、本発明においては、コネクタ２、４の位置は、キャニスター１、３の幅方向には略同様とされ（典型的には中央に配置され）、各キャニスターの上部７、８からよりもキャニスター底部５、６から近くされるべきである（又はこれとは逆でもよい）。当業者であれば分かるように、コネクタは、図示の台形形状に代表されるように、バックプレーンに対して上下逆に接続されることがないようなものとなっている。誤接続防止のための他の方法は当該技術分野では公知であり、大容量メモリーユニットの位置決め及び支持に用いられるレール（図示せず）もまた、誤挿入を防止するために用いうる。業界基準にしたがって製造された大容量記憶装置ユニットが本発明の実施に用いられたならば、誤挿入の可能性は確実に排除される。
【００１６】
図５から図８は、複数のハードディスクキャニスターをサーバー、ディスクドライブサブシステム、その他の同種のものに装着するための、典型的な従来技術の形態を示す。本形態では、バックプレーンモジュール１０は、図９及び図１０に最もよく示されるように、近接した配置形態の２つの１．６インチディスクドライブキャニスター１と接続するように、離間して配置されたバックプレーンコネクタ１１Ａ、１１Ｂを備えている。これにより、キャニスター１のキャニスターコネクタ２は、バックプレーン１０に設けられたバックプレーンコネクタ１１Ａ、１１Ｂに一般的な方法で接続される。バックプレーンコネクタ１１Ａ、１１Ｂは、インフォーメーションプロセッシングシステムの残余の部分と接続した既存の回路（図示せず）との電気的接続のために、バックプレーン１０に設けられているものである。
【００１７】
しかしながら、１インチディスクドライブキャニスター３の使用状態が図５及び図６に示されるように選択されたならば、コネクタ４をバックプレーンコネクタ１１Ａ、１１Ｂと結合することにより、２つのディスクドライブキャニスター３しか、バックプレーン１０に取り付けることができない。この結果、実装密度は最適化されない。なぜなら、２個の１．６インチディスクドライブキャニスターが占有できるスペース内には、２個ではなく、３個の１インチディスクドライブキャニスターのための物理的空間があるが、３個の１インチディスクドライブキャニスターをシステムに電気的に接続するための設備が存在していないからである。
【００１８】
この問題点は、本発明により、特定の形状のバックプレーンモジュール２０を採用することにより解決される。このバックプレーンモジュール２０の一実施形態を、図９及び図１０に示す。この典型的な実施形態では、バックプレーンモジュール２０は、新規な配列で配置された３つのバックプレーンコネクタ２１Ａ、２１Ｂ、２１Ｃを備えている。中央コネクタ２１Ｂと外側コネクタの一方、例えば２１Ｃは、同一の向きを向いている。しかし、外側コネクタの他方、例えば２１Ａは、コネクタ２１Ｂ、２１Ｃに対して１８０度反転させられている。さらに、第１の外側コネクタ２１Ａは、その外側（図の上側）エッジ２２Ａが、第２の外側コネクタ２１Ｃの外側エッジ２２Ｃがバックプレーンモジュールの第２の外側（図の下側）エッジ２３Ｃから離れているのと略同じ距離だけ、バックプレーンモジュール２０の第１外側（図の上側）エッジ２３Ａから離れておかれるように、配置される。
【００１９】
このように、バックプレーンに対して最上位置で接続されるキャニスターは、１インチ又は１．６インチの形状因子のいずれのものであろうと、中間及び下側の位置の一方又は両方に接続されるキャニスターに対して（図９及び図１０にあるように）反転されなければならないことがわかる。ディスクドライブは、性能及び信頼性が低下することなしに反転時の動作が可能であるように製造され、本発明は、この事実を利用するものである。
【００２０】
次に、図１１〜図１８に示されるバックプレーンモジュールの使用により得られる効果について説明する。これらの図は、２個の１．６インチディスクドライブモジュール又は３個の１インチディスクドライブモジュールが、略同じスペース内に取り付けられ得ることを示している。より詳しくは、図１１及び図１２は、バックプレーンモジュール３０に接続された３個の１インチディスクドライブキャニスター３０Ａ、３０Ｂ、３０Ｃを示す。キャニスター３０Ｂ、３０Ｃが同じ向き（すなわちトップサイドを上側にした向き）に向けられ、コネクタ３２Ｂ、２１Ｂ間及び３２Ｃ、２１Ｃ間の正しい電気的及び物理的接続を可能としている一方で、キャニスター３０Ａは１８０度反転した向き（すなわちトップサイドを下側に下向き）に向けられ、コネクタ３２Ａ、２１Ａ間の正しい接続を可能としている。
【００２１】
同様に、図１３及び図１４は、バックプレーンモジュール３０に接続される２個の１．６インチディスクドライブキャニスター３１Ａ、３１Ｂを示す。キャニスター３１Ｂは、トップサイドを上側にした向きを向けられ、コネクタ３３Ｂ、２１Ｃを正しく接続している一方で、キャニスター３１Ａは、コネクタ３３Ａ、２１Ａが正しく接続されるように、キャニスター３１Ｂに対して１８０度反転されている（すなわち、トップサイドを下側に向けている）。バックプレーンコネクタ２１Ｂは、２個の１．６インチキャニスター３１Ａ、３１Ｂに対しては、使用されない。このように、本発明によれば、３個の１インチディスクドライブキャニスターと２個の１．６インチディスクドライブキャニスターを、略同じスペース内に配置でき、コンパクトで最適に詰め込まれたパッケージが得られることがわかる。
【００２２】
図９及び図１０に示されたバックプレーンモジュールキャニスター２１Ａ、２１Ｂ、２１Ｃの位置は、バックプレーンモジュール２０の外縁との関連で説明してきたが、これは、コンパクトなバックプレーンモジュールを提供するものではあるが、本発明の実施態様を限定するものではない。しかしながら、所与の用途のためにバックプレーンコネクタ間の正しい配置を確定するのは、その用途に用いられる２タイプの大規模記憶装置ユニットの形状因子の相違である。２つの異なる形状因子を持つ大規模記憶装置ユニットが、所与の用途のために選択された後、（互いに１８０度反転した向きに向けられた２個の外側寄りのコネクタを含む）コネクタの位置は、略同一スペース内で、２個の大きな或いは３個の小さな大容量記憶装置ユニットに対応した望ましい配置を提供するように、直ちに決定できる。
【００２３】
図１５〜図１８には、実際のディスクドライブサブシステム又はディスクドライブサブシステムコンポーネントを例示する。図１５に最もよく示されるように、標準的な１９インチラック台４０は、本発明による５個のバックプレーンモジュール４１Ａ、４１Ｂ、４１Ｃ、４１Ｄ、４１Ｅを備えている。これらのバックプレーンモジュールは、図９に示した位置から９０度回転させられており、細長いバックプレーンが１５個のコネクタを有するように、端部同士を隣り合わせて配列されている。
【００２４】
図１６には、１５個の１インチディスクドライブ形状因子キャニスター４２Ａ、４２Ｂの配列がラック台４０に接続された状態を示す。５個のキャニスター４２Ａは、１０個のキャニスター４２Ｂに対して１８０度反転した向きを向けられ、キャニスターコネクタのバックプレーンコネクタへの正しい結合を可能としている（図１２も参照）。
【００２５】
同様に、図１７は、ラック台４０に接続された１０個の１．６インチディスクドライブ形状因子キャニスター４３Ａ、４３Ｂの配列を示す。５個のキャニスター４３Ａは、５個のキャニスター４３Ｂに対して１８０度反転した向きを向けられ、キャニスターコネクタのバックプレーンコネクタへの正しい結合を可能としている（図１４も参照）。
【００２６】
最後に、図１８は、６個の１インチキャニスター４３Ａ、４２Ｂと６個の１．６インチキャニスター４３Ａ、４３Ｂの組み合わせがラック台４０に接続された典型的な形態を示す。より詳しくは、左から右に向かって、２個の１．６インチキャニスター、３個の１インチキャニスター、２個の１．６インチキャニスター、３個の１インチキャニスター、２個の１．６インチキャニスターが順に並んでいる。前述の従来技術と比較して、１２個のキャニスター４２Ａ、４２Ｂ、４３Ａ、４３Ｂは、総てが密接して配置され、異なる形状因子ディスクドライブの効率的でコンパクトな集合状態が達成されることがわかる。
【００２７】
再び図１５を見ると、バックプレーンモジュール４１Ａ、４１Ｂ、４１Ｃ、４１Ｄ、４１Ｅは、本発明にしたがって正しく配置されたバックプレーンコネクタを持つことで、単一の構造に統合され得ることが、当業者であればわかる。本発明は、もちろん、標準的な１９インチラック台での使用に限定されるものではなく、本発明にしたがった少なくとも１つのバックプレーンモジュールを備えたいかなるバックプレーンに対しても適用できる。この場合のバックプレーンモジュールは、単独、二つ又は複数で、拡大された単一のバックプレーンに統合されたものもよい。
【００２８】
さらに、本発明を説明するために、２個の異なる形状因子のディスクドライブを用いてきたが、本発明はディスクドライブの使用に限定されるものではない。他の大容量記憶デバイス、例えばコンパクトディスクドライブ、カセットテープドライブ、光学記憶ドライブ等も、同様に配列される異なる形状因子について、利用可能又は利用可能となり得る。本発明は、このような種々の大容量記憶デバイスに対しても同様の利点を有する。
【００２９】
本発明を説明するために、「バックプレーン」という用語を用いてきたが、コンポーネントの位置に応じて、「ミッドプレーン」その他の用語の方が適切なこともあり得ることは、当業者には明らかである。用語の便宜上、総称的な用語「コネクタプレーン」は、バックプレーン、ミッドプレーン、及び他の同様のものを含むと考えられる。
【００３０】
このように、本発明の原理を例示の実施形態において明らかにしてきたが、具体的な環境に個々に適用され本原理から離れずに要求を達成する本発明の実施において用いられる多くの構造、配列、大きさ、構成要素、材料及び構成部分に関する変形があり得ることは、当業者に自明である。
【図面の簡単な説明】
【図１】典型的な１．６インチ形状因子ディスクドライブキャニスターをコネクタ底面から見た簡略化された図である。
【図２】図１と同様に、典型的な１インチ形状因子ディスクドライブキャニスターを示す図である。
【図３】図１に示されたキャニスターの側面図である。
【図４】図２に示されたキャニスターの側面図である。
【図５】従来技術によるバックプレーンモジュールに接続された２個の１インチ形状因子ディスクドライブキャニスターを示す図である。
【図６】図５に示すキャニスター及びバックプレーンの側面図である。
【図７】従来技術によるバックプレーンモジュールに接続された２個の１．６インチディスクドライブキャニスターを示す図である。
【図８】図７に示すキャニスター及びバックプレーンの側面図である。
【図９】本発明によるバックプレーンモジュールの平面図である。
【図１０】図９のバックプレーンモジュールの側面図である。
【図１１】本発明によるバックプレーンに接続された３個の１インチ形状因子ディスクドライブキャニスターを示す平面図である。
【図１２】図１１に示すバックプレーン及びキャニスターの側面図である。
【図１３】本発明のバックプレーンに接続された２個の１．６インチ形状因子ディスクドライブキャニスターを示す平面図である。
【図１４】図１３に示すバックプレーン及びキャニスターの側面図である。
【図１５】本発明による５個のバックプレーンモジュールを備えた標準的な１９インチラック台を示す正面図である。
【図１６】図１５に示すラック台に接続された１．６インチディスクドライブキャニスターを示す図である。
【図１７】図１５に示すラック台に接続された１０個の１．６インチディスクドライブキャニスターを示す図である。
【図１８】図１５に示すラック台に接続された１インチ及び１．６インチ形状因子ディスクドライブキャニスターの典型的な混合を示し、詳しくは、２つの異なる形状因子を持つディスクドライブキャニスターを、単一のラック台に、最適にパッケージングする本発明の利点を示す図である。
【図５】
2004503890.tif 000003
【図６】
2004503890.tif 000004
【図７】
2004503890.tif 000005
【図８】
2004503890.tif 000006
【図１０】
2004503890.tif 000007
【図１２】
2004503890.tif 000008
【図１４】
2004503890.tif 000009
【国際公開パンフレット】
2004503890.tif 000010
2004503890.tif 000011
2004503890.tif 000012
2004503890.tif 000013
2004503890.tif 000014
2004503890.tif 000015
2004503890.tif 000016
2004503890.tif 000017
2004503890.tif 000018
2004503890.tif 000019
2004503890.tif 000020
2004503890.tif 000021
2004503890.tif 000022
2004503890.tif 000023
2004503890.tif 000024
2004503890.tif 000025
2004503890.tif 000026
2004503890.tif 000027
2004503890.tif 000028
2004503890.tif 000029
2004503890.tif 000030
2004503890.tif 000031
2004503890.tif 000032
2004503890.tif 000033
2004503890.tif 000034
2004503890.tif 000035
【国際調査報告】
2004503890.tif 000036